(57)【要約】【課題】光コード切り替え時の光コネクタ着脱の作業性を良くする。【解決手段】ユニット前方に延出する光コネクタ付き光コード２を載せるユニット前面側の第１のコード載置用トレイ１５と、ユニット側面側の第２のコード載置用トレイ１６とを備える。第２のコード載置用トレイ１６は、光コード２を載せるトレイ本体２０のユニット前面側位置にガイド２１を備え、ユニット後面側位置にクランプ２２を備えるとともに、トレイ本体２０の幅Ｗはガイド２１とクランプ２２との間で光コード２に余長を持たせて這わせることが可能な程度に広い幅を持つ。光コード切り替え時には、第２のコード載置用トレイ１６上に光コード２の余長があるので、光コード２を図２で右側に引き寄せてユニット正面側で弛みを持たせることができ、着脱対象の光コネクタの周囲の光コード２を捌くことが容易になり、光コネクタ着脱の作業性が向上する。【選択図】図２
2008052195.tif 000002
【特許請求の範囲】
【請求項１】
多数の光コネクタ付き光コードが、ユニット前面に縦横に配列されたアダプタにてユニット内部の光ファイバとコネクタ接続される光成端ユニットであって、
ユニット前方に延出する前記光コネクタ付き光コードを載せるユニット前面側の第１のコード載置用トレイと、前記第１のコード載置用トレイからユニット側面側に引き回される前記光コネクタ付き光コードを載せるユニット側面側の第２のコード載置用トレイとを備えるとともに、
前記第２のコード載置用トレイは、光コネクタ付き光コードを載せるトレイ本体のユニット前面側位置に前記第１のコード載置用トレイから引き回される光コネクタ付き光コードを案内するガイドを備え、かつ、ユニット後面側位置に当該第２のコード載置用トレイから下方に垂らされる光コネクタ付き光コードを把持可能なクランプを備えるとともに、トレイ本体の幅Ｗ及び長さＬは前記ガイドとクランプとの間で光コネクタ付き光コードに余長を持たせて這わせることが可能な程度に広い幅及び長い長さを持つことを特徴とする光成端ユニット。
【請求項２】
前記第１のコード載置用トレイを、ユニット本体に固定された本体側部分と、コネクタ着脱作業時に前記本体側部分に対して下方に回転可能にヒンジ結合された前方側部分とに分割したことを特徴とする請求項１記載の光成端ユニット。
【発明の詳細な説明】
【技術分野】
【０００１】
この発明は、多数の光コネクタ付き光コードが、ユニット前面に縦横に配列されたアダプタにてユニット内部の光ファイバとコネクタ接続される光成端ユニットに関する。
【背景技術】
【０００２】
線路側の光ファイバと装置側の光ファイバとを切り替え可能に接続する光成端ユニットとして、図８、図９に示すように、光コネクタ付き光コード２の先端の光コネクタ３をユニット内部の光ファイバとコネクタ接続（ユニット側光コネクタを４で示す）するための多数のアダプタ５をユニット前面（前面板）６に縦横に配列した光成端ユニット１がある。この種の光成端ユニット１では、ユニット前面６から前方（図９で下方）に延出する光コネクタ付き光コード（以下、場合により単に光コードという）２は、ユニット前面側に設けたコード載置用トレイ７に載せて側方に導きコード束をクランプ８で把持して下方に垂らすのが一般的である。また、図示例の一部の光コード２のように、ユニットの側方に引き回してコード載置台９に載せコード束をクランプ１０で把持して下方に垂らする場合もある（特許文献１の図１〜図３等）。この種の光成端ユニット１は、例えば局舎内に設置されるような大容量タイプの光配線盤の場合には、光配線盤内に多段に設置される。
【特許文献１】特開２００１−１３３６３６
【発明の開示】
【発明が解決しようとする課題】
【０００３】
この光成端ユニット１において光コード２の切り替え（光配線系統の切り替え）を行う際には光コード２を挿抜するが、光コード２の挿抜は、光コード２の光コネクタ３をユニット前面６のアダプタ５に対して着脱して行う。光コード２の本数が少ない場合は特に問題はないが、図示のように高密度配線の光成端ユニット１の場合、極めて多数の光コード２がユニット前面６から前方に延出しているので、着脱しようとする光コネクタ３の周囲の光コード２が邪魔になって、コネクタ着脱工具によるコネクタ着脱の作業がしにくく、作業性が悪い。特に、光コード２が出入れ側（図８、図９で左側）に引っ張られてテンションのかかった状態にあるので、コネクタ着脱工具で光コネクタ３を掴む操作をし易いようにその周囲の光コードをうまく捌く（ないし掻き分ける）ことは簡単ではなく、作業性が悪い。
【０００４】
なお、コネクタ着脱の際に、光コードを把持しているクランプ８又は１０の把持を解除して光コード２を弛ませ、その状態で再び光コード２をクランプ８または１０で把持すれば、着脱しようとする光コネクタ３の周囲の光コード２を捌き易くなるが、クランプを解除・再クランプをするのでは、作業性が悪い。
【０００５】
なお、一般的な光配線盤において、光コード切り替え作業に際して、配線架上下方向に積層されている複数のトレーの内の一段を光コード余長収納用のトレーとして用いる場合があるが、作業性がよいとは言えない。
また、一般的な光配線盤において、光成端ユニットから回転式で横に引き出し可能な配線作業用の棚を設けた構造のものもあるが、回転式の配線作業用棚を設けるのは構造が複雑になる。
【０００６】
本発明は上記従来の欠点を解消するためになされたもので、極めて簡単な構造でもって、光コード切り替え時に、コネクタ着脱工具による光コネクタ着脱操作をし易いように周囲の光コードを捌くことが容易な光成端ユニットを提供することを目的とする。
【課題を解決するための手段】
【０００７】
上記課題を解決する本発明は、多数の光コネクタ付き光コードがユニット前面に縦横に配列されたアダプタにてユニット内部の光ファイバとコネクタ接続される光成端ユニットであって、
ユニット前方に延出する前記光コネクタ付き光コードを載せるユニット前面側の第１のコード載置用トレイと、前記第１のコード載置用トレイからユニット側面側に引き回される前記光コネクタ付き光コードを載せるユニット側面側の第２のコード載置用トレイとを備えるとともに、
前記第２のコード載置用トレイは、光コネクタ付き光コードを載せるトレイ本体のユニット前面側位置に前記第１のコード載置用トレイから引き回される光コネクタ付き光コードを案内するガイドを備え、かつ、ユニット後面側位置に第２のコード載置用トレイから下方に垂らされる光コネクタ付き光コードを把持可能なクランプを備えるとともに、
トレイ本体の幅Ｗ及び長さＬは前記ガイドとクランプとの間で光コネクタ付き光コードに余長を持たせて這わせることが可能な程度に広い幅及び長い長さを持つことを特徴とする。
【０００８】
請求項２は、請求項１の光成端ユニットにおける第１のコード載置用トレイを、ユニット本体に固定された本体側部分と、コネクタ着脱作業時に前記本体側部分に対して下方に回転可能にヒンジ結合された前方側部分とに分割したことを特徴とする。
【発明の効果】
【０００９】
本発明の光成端ユニットにおいて、ユニット前面から前方に延出する光コネクタ付き光コードは、ユニット前面側の第１のコード載置用トレイに載せられ、ユニット側面側に引き回されて第２のコード載置用トレイに載せられるが、この第２のコード載置用トレイ上で例えばＳ字形等のように這わされて余長を持つ状態でユニット後面側位置のクランプで把持される。
光コード切り替え時には、第２のコード載置用トレイ上に光コネクタ付き光コードの余長があるので、ユニット正面から見て第２のコード載置用トレイ側（例えば左側）に引っ張られた状態にある光コネクタ付き光コードを反対側（右側）に引き寄せることができる。したがって、光コネクタ付き光コードを概ねユニット正面において弛みを持たせることができる。このため、コネクタ着脱工具で光コネクタを掴む操作をし易いように着脱対象の光コネクタの近傍の光コネクタ付き光コードを捌くことは容易であり、コネクタ着脱の作業性が向上し、光コード切り替え作業の作業性が向上する。
【発明を実施するための最良の形態】
【００１０】
以下、本発明を実施した光成端ユニットについて、図面を参照して説明する。
【実施例１】
【００１１】
図１は本発明の一実施例の光成端ユニット１１の正面図、図２は同平面図、図３は同左側面図、図４は同右側面図である。実施例の光成端ユニット１１は、例えば図７に模式的に示すような大容量タイプの光配線盤７内に多段に設置される。この光成端ユニット１１は、光コネクタ付き光コード２の先端の光コネクタ３をユニット側光コネクタ４に接続するための多数のアダプタ５をユニット前面６に縦横に配列している。線路側の光ケーブル１２から取り出した光ファイバ１２ａは、前記ユニット側光コネクタ４が先端に取り付けられた光ファイバ１３と融着ユニット１４において融着接続されている。光コード２の先端に取り付けられた光コネクタ３はアダプタ５に嵌合してユニット側光コネクタ４にコネクタ接続されている。
なお、図示例では融着ユニット１４を第１のコード載置用トレイ１５より下位に設けているが、第１のコード載置用トレイ１５の上に配置するものでもよい。
【００１２】
光成端ユニット１１は、ユニット前方に延出する前記光コネクタ付き光コード（以下場合により光コードという）２を載せるユニット前面側の第１のコード載置用トレイ１５と、前記第１のコード載置用トレイ１５からユニット側面側に引き回される前記光コード２を載せるユニット側面側の第２のコード載置用トレイ１６とを備えている。前記第１のコード載置用トレイ１５は、ユニット本体２３に固定された本体側部分１７と、コネクタ着脱作業時に前記本体側部分１７に対して下方に回転可能にヒンジ結合された前方側部分１８とに分割されている。ヒンジ部１９は前方側部分１８を水平に保つロック機構を備えており、ロックを解除することで、前方側部分１８を下方に回転させることができる。第１のコード載置用トレイ１５の前方側部分１８はその端縁に光コード２をはみ出しを防ぐ前面壁１８ａを持つ。
【００１３】
前記第２のコード載置用トレイ１６は、ユニット本体２３の側面に固定されており、光コード２を載せるトレイ本体２０のユニット前面側位置（図２で下方側の位置）に前記第１のコード載置用トレイ１５から引き回される光コード２を案内するガイド２１を備え、かつ、ユニット後面側位置（図２で上方側の位置）に当該第２のコード載置用トレイ１６から下方に垂らされる光コード２を把持可能なクランプ２２を備えるとともに、トレイ本体２０の幅Ｗ及び長さＬは、前記ガイド２１とクランプ２２との間で光コード２に余長を持たせて這わせることが可能な程度に広い幅及び長い長さとされている。トレイ本体２０は幅方向両端縁に壁部２０ａ、２０ｂを持つ。クランプ２２は、例えば上部部材２２ａを上げ下げして光コード２の束の把持及び把持解除をする構造その他、種々の構造が考えられる。
前記ガイド２１は、光コード２を湾曲ガイドする際の内側ガイドとなる内側壁２１ａと外側ガイドとなる外側壁２１ｂとを備え、ネジでトレイ本体２０に固定されている。
ユニット本体２３の第２のコード載置用トレイ１６と反対側（図１、図２等で右側）の側面には、ユニット本体２３内部に引き入れる光ファイバ心線１２ａを大きなアールで案内する心線ガイド２５を持つ。
【００１４】
上記の光成端ユニット１１において、ユニット前面から前方に延出する光コード２は、ユニット前面側の第１のコード載置用トレイ１５に載せられ、ユニット側面側に引き回されて第２のコード載置用トレイ１６に載せられるが、この第２のコード載置用トレイ１６上で例えば図２に示すようなＳ字形等に這わされて余長を持つ状態でユニット後面側位置のクランプ２２で把持される。第２のコード載置用トレイ１６上の余長は、光コネクタ着脱作業を容易にするために必要な光コード弛み量に対応可能な余長を予め見積もっておくが、第１のコード載置用トレイ１６は十分広い幅Ｗ及び長さＬを持つので、所望の余長を確保できる。
光コード切り替え時には、第２のコード載置用トレイ１６上に光コード２の余長があるので、第２のコード載置用トレイ側に引っ張られた状態にある光コード２を反対側（図２で右側（白抜き矢印方向））に引き寄せることができる。これにより、光コード２に弛みを持たせることができる。その際、第１のコード載置用トレイ１５の前方側部分１８を、ヒンジ部１９のロックを解除して図５、図６のように下方に回転させることで、引き寄せた光コード２をユニット正面において弛みを持たせるのに有効である。なお、図５、図６では、引き寄せた光コード２のユニット正面の弛み部を第１のコード載置用トレイ１５の前方側部分１８の前面壁１８ａで受けているように図示しているが、前面壁１８ａで受けることなくフリーに弛ませてもよい。
このように光コード２に弛みのある状態では、着脱対象の光コネクタの近傍の光コード２を捌くこと、すなわち、光コード２を掻き分けて着脱対象の光コネクタ３の周囲を空けることは容易である。したがって、細長い外形のコネクタ着脱工具を差し込んで着脱対象の光コネクタ３を掴む操作は容易であり、コネクタ着脱の作業性が向上し、光コード切り替え作業の作業性が向上する。
また、光コード２に弛みのある状態で作業できるので、光コード２を捌く際に光ファイバに許容以上の曲げや張力が加わることを防止できる。
また、光コード２に弛みを持たせる手段として、クランプを解除して光コードに弛みを持たせた後に再びクランプで把持する等の煩雑な操作を必要としないので、この点でも作業性が良好である。
【図面の簡単な説明】
【００１５】
【図１】本発明の一実施例の光配線盤内の光成端ユニットの正面図である。
【図２】図１の光成端ユニットの平面図である。
【図３】図１の光成端ユニットの左側面図である。
【図４】図１の光成端ユニットの右側面図である。
【図５】上記の光成端ユニットにおいて光コード切り替え作業をする際の光コードの状態を説明する図である。
【図６】図５の右側面図である。
【図７】上記の光成端ユニットを複数段に備えた光配線盤を簡略化して示した正面図である。
【図８】従来の光成端ユニットの正面図である。
【図９】図８の光成端ユニットの平面図である。
【符号の説明】
【００１６】
２  光コード（光コネクタ付き光コード）
３  （光コネクタ付き光コードの）光コネクタ
４  ユニット内部の光コネクタ
５  アダプタ
６  ユニット前面
１１  光成端ユニット
１３  （ユニット内部の）光ファイバ
１４  融着ユニット
１５  第１のコード載置用トレイ
１６  第２のコード載置用トレイ
１７  （第１のコード載置用トレイの）本体側部分
１８  （第１のコード載置用トレイの）前方側部分
１８ａ  前面壁
１９  ヒンジ部
２０  （第２のコード載置用トレイの）トレイ本体
２０ａ、２０ｂ  壁部
２１  ガイド
２１ａ  内側部分
２１ｂ  外側部分
２２  クランプ
２３  ユニット本体
Ｗ  （第２のコード載置用トレイの）幅
Ｌ  （第２のコード載置用トレイの）長さ
【図１】
2008052195.tif 000003
【図２】
2008052195.tif 000004
【図３】
2008052195.tif 000005
【図４】
2008052195.tif 000006
【図５】
2008052195.tif 000007
【図６】
2008052195.tif 000008
【図７】
2008052195.tif 000009
【図８】
2008052195.tif 000010
【図９】
2008052195.tif 000011